(57)【要約】【課題】二種類のロール紙への対応を簡単な構造で実現することができ、しかも、使用するロール紙の切り替えを手軽にできるようにする。【解決手段】第１のロール紙（例えば、ラベル用紙）の筒状に形成された紙管に挿入させて当該第１のロール紙を保持する用紙保持軸１０７を設け、この用紙保持軸１０７に保持された第１のロール紙をその上方位置から引き出して所定の案内経路１１１に沿って案内搬送し、その過程で印字部１０８によって印字を行なうという基本構成を備えた上で、第１のロール紙よりも小径の第２のロール紙（例えば、レシート用紙２１）を保持する用紙保持体１５１を用紙保持軸１０７に着脱自在に装着できるようにし、用紙保持体１５１が保持する第２のロール紙を案内経路１１１に引き出して案内経路１１１に沿って案内搬送し、その過程で印字部１０８によって印字を行なうことができるようにした。【選択図】図３
2011245870.tif 000002
【特許請求の範囲】
【請求項１】
一端が自由端となっており、ロール紙として第１のロール紙を保持する用紙保持軸と、
前記ロール紙に対して印字を行う印字部と、
を備え、
前記用紙保持軸は、前記印字部によって印字される前記ロール紙として第２のロール紙を回転可能な状態で保持する用紙保持体を、前記自由端側からスライド自在に装着するプリンタ。
【請求項２】
前記用紙保持軸は、前記用紙保持体に設けられた一対のリブと嵌合する一対の溝を有する請求項１に記載のプリンタ。
【請求項３】
底部に一対のレールを有したハウジングと、
前記用紙保持軸および前記印字部を有し、前記一対のレールにスライド自在に保持されて前記ハウジングに引き出し可能に収納されるスライドユニットと、
を備える請求項１または２に記載のプリンタ。
【請求項４】
前記印字部は、前記印字を行うサーマルヘッドと、前記サーマルヘッドに対向配置されたプラテンローラと、を有する請求項１ないし３のいずれか一項に記載のプリンタ。
【請求項５】
前記スライドユニットは、前記一対のレールにスライド自在に支持された底部フレームと、前記底部フレームの一側部に設けられ、前記用紙保持軸を片持ち状態で支持した側部フレームと、を有する請求項３に記載のプリンタ。
【請求項６】
前記用紙保持軸は、平坦面を有し、
前記平坦面は、前記用紙保持体が有する平坦底面と接触する請求項１ないし５のいずれか一項に記載のプリンタ。
【発明の詳細な説明】
【技術分野】
【０００１】
本発明は、第１のロール紙（例えば、ラベル用紙）とこの第１のロール紙よりも小径の第２のロール紙との選択的な装着が可能で、それらの第１のロール紙と第２のロール紙との二種類のロール紙に対応可能なプリンタに関する。
【背景技術】
【０００２】
従来、第１のロール紙と第２のロール紙との二種類のロール紙に対応可能なプリンタが提案されている（特許文献１参照）。このプリンタは、二種類のロール紙ユニット（１０Ａ、１０Ｂ）及び二種類の印字機構ユニット（５０Ａ、５０Ｂ）を選択的に装着できるように構成されている（段落００２７、００２８参照）。そして、装着するロール紙ユニットと印字機構ユニットとの組合せによって、通常のロール紙とラベル用紙とを使い分けることができるようになっている（段落００２９〜００４２参照）。
【発明の概要】
【発明が解決しようとする課題】
【０００３】
特許文献１に記載されているロール紙ユニット（１０Ａ、１０Ｂ）は、通常のロール紙の使用とラベル用紙の使用とにそれぞれ適した独自構造を有しており、その上、フレームの開閉機構及びプラテンローラ等をも搭載する大掛かりな構造のものである。しかも、二種類のロール紙ユニット（１０Ａ、１０Ｂ）と二種類の印字機構ユニット（５０Ａ、５０Ｂ）との組合せも予め決められており、その入れ替えは手軽にできない。このため、例えば通常のロール紙を使用してレシートを印字している最中、一時的にラベル用紙も使用してラベルを印字発行するというような気軽な使い方ができない。
【０００４】
本発明は、このような点に鑑みなされたもので、二種類のロール紙への対応を簡単な構造で実現することができ、しかも、使用するロール紙の切り替え作業を手軽にできるようにすることである。
【課題を解決するための手段】
【０００５】
本発明のプリンタは、一端が自由端となっており、ロール紙として第１のロール紙（例えば、長尺状の台紙に複数のラベルを貼付したラベル用紙）を保持する用紙保持軸と、前記ロール紙に対して印字を行う印字部と、を備え、前記用紙保持軸は、前記印字部によって印字される前記ロール紙として第２のロール紙（例えば、レシート用紙）を回転可能な状態で保持する用紙保持体を、前記自由端側からスライド自在に装着する。
【発明の効果】
【０００６】
本発明によれば、通常状態では第１のロール紙を使用してこの第１のロール紙に印字を行なうことができ、用紙保持軸に用紙保持体を取り付けることで第２のロール紙を使用してこの第２のロール紙に印字を行なうことができ、したがって、二種類のロール紙への対応を用紙保持体及び用紙保持軸という簡単な構造で実現することができ、しかも、使用するロール紙の切り替え作業を用紙保持体を着脱するだけの手軽さで行なうことができる。
【図面の簡単な説明】
【０００７】
【図１】本発明の実施の一形態として、用紙保持軸にラベル用紙（第１のロール紙）が装着されてラベル用紙が使用可能となっている状態を示すプリンタの概略的な縦断側面図である。
【図２】用紙保持軸の斜視図である。
【図３】用紙保持軸にレシート用紙（第２のロール紙）を収納保持する用紙保持体が装着されてレシート用紙が使用可能となっている状態を示すプリンタの概略的な縦断側面図である。
【図４】用紙保持体の斜視図である。
【図５】用紙保持軸にラベル用紙（第１のロール紙）が装着された状態のスライドユニット（基本ユニット）の斜視図である。
【図６】用紙保持軸にレシート用紙（第２のロール紙）を収納保持する用紙保持体が装着された状態のスライドユニット（基本ユニット）の斜視図である。
【図７】用紙保持体の変形例を示す斜視図である。
【図８】用紙保持軸に図７に示す用紙保持体が装着されてレシート用紙が使用可能となっている状態を示すプリンタの概略的な縦断側面図である。
【発明を実施するための形態】
【０００８】
本発明の実施の一形態を図１ないし図６に基づいて説明する。
【０００９】
図１は、用紙保持軸１０７にラベル用紙１１（第１のロール紙）が装着されてラベル用紙１１が使用可能となっている状態を示すプリンタ１０１の概略的な縦断側面図である。本実施の形態のプリンタ１０１は、そのハウジング１０２の内部にユニットとしてのスライドユニット１０３を備えている。スライドユニット１０３は、基本的には第１のロール紙としてのラベル用紙１１に対して印字を行なうための構造物を搭載するユニットであり、このユニットが搭載している構造物は、選択的に、第２のロール紙としてのレシート用紙２１（図３参照）に対しても印字を行なうことができるように構成されている。このようなスライドユニット１０３の詳細については後述する。
【００１０】
ハウジング１０２は、その正面側（図１中の左側）に開閉自在のフロントパネル１０４を備えている。フロントパネル１０４が開かれると、ハウジング１０２はその正面側に開口部１０５を露出させる。このようなハウジング１０２の底部には、一対のレール１０６が固定されている。これらのレール１０６は、開口部１０５から奥側に向けて延びるように平行に配列されており、スライドユニット１０３をスライド自在に保持している。スライドユニット１０３は、レール１０６をスライドすることによって開口部１０５からハウジング１０２の外部まで引き出し可能である。
【００１１】
本実施の形態のプリンタ１０１に用いるラベル用紙１１は、ロール状に巻回されたロール紙である。ラベル用紙１１は、複数枚のラベル１２を長尺状の台紙１３に一定間隔で貼付し、これを紙管１４に巻き付けてロール状に巻回した構造のものである。ラベル１２には、加熱によって発色する感熱ラベルが用いられている。このようなラベル用紙１１は、上述したスライドユニット１０３に保持され、スライドユニット１０３のスライド移動に応じてハウジング１０２に収納された状態と開口部１０５から外部に引き出された状態とに移動自在である。
【００１２】
ここで、スライドユニット１０３について説明する。スライドユニット１０３は、ラベル用紙１１を保持する用紙保持軸１０７と、ラベル用紙１１が有するラベル１２に印字を行なう印字部１０８と、ラベル用紙１１が有する台紙１３を巻き取る台紙巻取り軸１０９とを備えている。これらの各部（用紙保持軸１０７、印字部１０８、台紙巻取り軸１０９）は、スライドユニット１０３が有している側壁１０３ａに片持ち状態で取り付けられている。また、スライドユニット１０３は、ラベル用紙１１の台紙１３を鋭角に屈曲させる剥離部１１０を有している。この剥離部１１０は、用紙保持軸１０７から台紙巻取り軸１０９に至るラベル用紙１１の案内経路１１１において、印字部１０８の下流側近傍に配置され、ラベル用紙１１の台紙１３の経路のみを鋭角に屈曲させて台紙１３を台紙巻取り軸１０９に導く。そして、剥離部１１０は、台紙１３を鋭角に屈曲させることで、印字済みのラベル１２を台紙１３から剥離させ、フロントパネル１０４に形成した発行口ＩＰから発行させる役割を担っている。更に、スライドユニット１０３は、剥離部１１０と発行口ＩＰとの間に位置させて、オートカッタ１１２を有している。このオートカッタ１１２は、ラベル用紙１１を用いる限りは使用されることがないのに対して、前述したように、レシート用紙２１を用いる場合、レシート用紙２１の印字済み部分を切断して発行口ＩＰから発行する役割を担っている。
【００１３】
スライドユニット１０３に設けられている用紙保持軸１０７は、スライドユニット１０３の側壁１０３ａに水平に突出させて片持ち状態で取り付けられているパイプ状部材である。この用紙保持軸１０７には、ラベル用紙１１の紙管１４が差し込まれてラベル用紙１１が保持される。
【００１４】
図２は、用紙保持軸１０７の斜視図である。図２に示すように、用紙保持軸１０７は、その上部が平坦面１０７ａとなっている。平坦面１０７ａは、用紙保持軸１０７の軸心方向全長に渡り形成されている。また、用紙保持軸１０７は、左右に一対の溝１０７ｂを有している。これらの溝１０７ｂも、用紙保持軸１０７の軸心方向全長に渡り形成されている。
【００１５】
図１を再び参照する。スライドユニット１０３に設けられている印字部１０８は、案内経路１１１を介して対向配置されているプラテンローラ１１３とサーマルヘッド１１４とによって構成されている。プラテンローラ１１３は案内経路１１１の下方位置、サーマルヘッド１１４は案内経路１１１の上方位置にそれぞれ配置されている。プラテンローラ１１３は、図示しないモータに駆動されて回転し、案内経路１１１に位置するラベル用紙１１に搬送力を付与する。サーマルヘッド１１４は、ライン型のサーマルプリントヘッドであり、案内経路１１１を介してプラテンローラ１１３に当接している。この当接力は、プラテンローラ１１３の回転によるラベル用紙１１の搬送に貢献している。このため、プラテンローラ１１３及びサーマルヘッド１１４からなる印字部１０８は、ラベル用紙１１を案内経路１１１に沿って案内搬送する搬送部を構成する。
【００１６】
スライドユニット１０３に設けられている台紙巻取り軸１０９は、スライドユニット１０３の側壁１０３ａに片持ち状態で取り付けられている。そして、台紙巻取り軸１０９は、剥離部１１０を通過したラベル用紙１１のうち、台紙１３のみを巻き取る。剥離部１１０及び台紙巻取り軸１０９は、この台紙巻取り軸１０９が台紙１３を巻き取ることによって剥離部１１０の部分で台紙１３を鋭角に屈曲させ得るように配列されている。
【００１７】
図３は、用紙保持軸１０７にレシート用紙２１（第２のロール紙）を収納保持する用紙保持体１５１が装着されてレシート用紙２１が使用可能となっている状態を示すプリンタ１０１の概略的な縦断側面図である。図３に示す使用態様では、用紙保持軸１０７にラベル用紙１１が装着されていない。用紙保持軸１０７には、ラベル用紙１１に代えて、用紙保持体１５１が着脱自在に装着されている。用紙保持体１５１は、レシート用紙２１を投げ込み方式で収納保持する。用紙保持体１５１を用紙保持軸１０７に着脱自在に取り付けているのは、取付部１５２である。取付部１５２は、断面が非真円形状に形成されて一端が自由端となった用紙保持軸１０７の外周形状及び支持構造と、用紙保持体１５１に設けられ、用紙保持軸１０７にその自由端側からスライド自在に装着される装着部１５３とによって形成されている。
【００１８】
本実施のプリンタ１０１に用いる第２のロール紙としてのレシート用紙２１は、第１のロール紙であるラベル用紙１１よりも小径にロール状に巻回されている。より詳細には、レシート用紙２１はラベル用紙１１の直径の半分以下の直径に巻回されている。そして、ラベル用紙１１には紙管１４が設けられているのに対して、レシート用紙２１は紙管レスである。
【００１９】
図４は、用紙保持体１５１の斜視図である。図４に示すように、用紙保持体１５１は、その上方にホッパ１５４を有している。ホッパ１５４は、レシート用紙２１を投げ込み方式で収納保持し、収納保持したレシート用紙２１を案内経路１１１に引き出すことができるよう、底面が湾曲形状に形成されている。ホッパ１５４は、レシート用紙２１を回転可能な状態で、ロール状に巻回されたレシート用紙２１の外周を支える。
【００２０】
ここで重要なことは、用紙保持体１５１が収納保持するレシート用紙２１の配置位置である。図３に示すように、レシート用紙２１は、用紙保持軸１０７の上方であって、この用紙保持軸１０７に保持される第１のロール紙であるラベル用紙１１の仮想的な専有領域（図３中、Ａで示す）に位置付けられる。更に、レシート用紙２１は、レシート用紙２１の上方位置から案内経路１１１に引き出し自在な位置に位置付けられる。このようなレシート用紙２１の配置が可能であるのは、レシート用紙２１がラベル用紙１１の直径の半分以下の直径に巻回されていること、レシート用紙２１を支えるホッパ１５４の底面と取付部１５２間の長さを調節した用紙保持体１５１を用意することができるからである。こうして、レシート用紙２１は案内経路１１１に引き出され、この案内経路１１１を案内搬送される。これにより、ラベル用紙１１に印字を行なう印字部１０８等の各部を共用してレシート用紙２１にも印字を行なうことができる。
【００２１】
用紙保持体１５１が有する装着部１５３は、用紙保持軸１０７の平坦面１０７ａに接触する平坦底面１５３ａと、用紙保持軸１０７の溝１０７ｂに嵌合する一対のリブ１５３ｂとを有している。したがって、用紙保持軸１０７の平坦面１０７ａに平坦底面１５３ａを位置合わせし、溝１０７ｂにリブ１５３ｂを位置合わせし、この状態のまま用紙保持体１５１を押し込むと、装着部１５３は用紙保持軸１０７をスライド移動し、用紙保持軸１０７に用紙保持体１５１が装着される。この際、平坦面１０７ａに対する平坦底面１５３ａの接合、及び、一対の溝１０７ｂに対する一対のリブ１５３ｂの嵌合によって、用紙保持体１５１は回り止めされた状態で用紙保持軸１０７に取り付けられる。そして、用紙保持軸１０７から用紙保持体１５１を取り外すには、用紙保持体１５１を引っ張るという簡単な作業をするだけでよい。これにより、装着部１５３が用紙保持軸１０７をスライド移動し、用紙保持体１５１を簡単に取り外すことができる。
【００２２】
図５は、用紙保持軸１０７にラベル用紙１１（第１のロール紙）が装着された状態のスライドユニット１０３（基本ユニット１１５）の斜視図である。図５では、スライドユニット１０３中の基本ユニット１１５のみを示しており、印字部１０８及び剥離部１１０を省略している。これらの印字部１０８及び剥離部１１０は、図５に示す基本ユニット１１５に取り付けられる印字ユニット（図示せず）に設けられている。
【００２３】
基本ユニット１１５は、フレーム構造体１１６に用紙保持軸１０７及び台紙巻取り軸１０９が取り付けられて構成されている。フレーム構造体１１６は、底部を構成する底部フレーム１１７の一側方に、側部を構成する側部フレーム１１８が固定され、Ｌ字形状をなしている。
【００２４】
底部フレーム１１７は、その両端が下方に回り込むように二箇所直角に屈曲され、レール１０６に固定されている。つまり、レール１０６は、ハウジング１０２の側に固定される固定レール１０６ａと、この固定レール１０６ａに対してスライド自在に取り付けられた移動レール１０６ｂとを有している。そして、移動レール１０６ｂにフレーム構造体１１６の底部フレーム１１７が固定されることで、フレーム構造体１１６を基本とするスライドユニット１０３（基本ユニット１１５）がハウジング１０２に対してスライド自在に取り付けられているわけである。
【００２５】
側部フレーム１１８は、その一面に側壁１０３ａを有し、この側壁１０３ａの側で用紙保持軸１０７及び台紙巻取り軸１０９を片持ち状態で支持している。図５中、底部フレーム１１７と側部フレーム１１８との連絡部分に位置させてモータ（図示せず）を収納するモータハウジング１１９が示されている。このモータハウジング１１９に収納されたモータは、台紙巻取り軸１０９の動力源であり、台紙巻取り軸１０９に回転駆動力を付与する。モータの回転駆動力は、側壁１０３ａの裏面側に配列されている動力伝達系（図示せず）を介して台紙巻取り軸１０９に伝達される。
【００２６】
ここで、図５及び後述する図６に、図１及び図３には示さなかったスライドユニット１０３が有している押え部１６１を示す。押え部１６１は、用紙保持軸１０７に択一的に保持されたラベル用紙１１と用紙保持体１５１とを択一的に押え付けることができる構造を有している。
【００２７】
押え部１６１についてより詳細に説明する。側部フレーム１１８の右側上端位置には、用紙保持軸１０７及び台紙巻取り軸１０９と同一方向に突出させて支持体１６２が固定されている。この支持体１６２は、断面コの字形に形成され、上片と下片とによってアーム１６３を回動自在に支持している。これにより、アーム１６３は、垂直軸を中心として回動し、その自由端を側壁１０３ａに近接離反させる。そこで、そのようなアーム１６３の自由端には、用紙保持軸１０７に択一的に保持されたラベル用紙１１と用紙保持体１５１とを択一的に押え付ける押え片１６４が垂直軸周りに回動自在に取り付けられている。この押え片１６４は、全体を図示しない螺子１６５の締め付けによってアーム１６３に位置固定されるように構成されている。更に、支持体１６２の根元側とアーム１６３との間にはコイルバネ１６６が掛け渡され、アーム１６３を側壁１０３ａに近接する方向に付勢している。
【００２８】
図６は、用紙保持軸１０７にレシート用紙２１（第２のロール紙）を収納保持する用紙保持体１５１が装着された状態のスライドユニット１０３（基本ユニット１１５）の斜視図である。押え部１６１では、押え片１６４の配置位置が重要である。つまり、押え片１６４は、用紙保持体１５１の仮想的な配置領域上で用紙保持軸１０７の軸方向に移動自在に配置されている。したがって、押え部１６１は、その押え片１６４によって、用紙保持軸１０７に装着されたラベル用紙１１の側面を押えることができ、かつ、用紙保持軸１０７に装着された用紙保持体１５１の側面を押えることができるように構成されている。
【００２９】
こうして構成された本実施の形態のプリンタ１０１は、商用電源から給電され、ハウジング１０２に内蔵された図示しないマイクロコンピュータによって各部が駆動制御されることで印字動作を実行する。
【００３０】
このような構成において、用紙保持軸１０７にラベル用紙１１が装着されている場合（図１、図５参照）、プラテンローラ１１３が回転駆動されることによりラベル用紙１１が案内経路１１１を案内搬送され、案内経路１１１を介してプラテンローラ１１３に当接するサーマルヘッド１１４によってラベル用紙１１のラベル１２に印字データに基づく印字が行なわれる。これと同時に、モータ（図示せず）からの動力が台紙巻取り軸１０９に伝達され、ラベル用紙１１の一部をなす台紙１３は台紙巻取り軸１０９に巻き取られる。そして、剥離部１１０で鋭角に屈曲された台紙１３から印字済みのラベル１２が剥離され、剥離されたラベル１２は発行口ＩＰから発行される。
【００３１】
これに対して、用紙保持軸１０７に用紙保持体１５１が装着されている場合（図２、図６参照）、プラテンローラ１１３が回転駆動されることにより用紙保持体１５１のホッパ１５４に収納保持されているレシート用紙２１が案内経路１１１を案内搬送され、案内経路１１１を介してプラテンローラ１１３に当接するサーマルヘッド１１４によってレシート用紙２１に印字データに基づく印字が行なわれる。レシート用紙２１の印字済み部分は、オートカッタ１１２によって切断されて発行口ＩＰから発行される。
【００３２】
ここで、レシート用紙２１を使用する場合、用紙保持軸１０７にラベル用紙１１が装着済みである場合にはラベル用紙１１を用紙保持軸１０７から取り外し、用紙保持軸１０７に用紙保持体１５１を装着する。そして、用紙保持体１５１のホッパ１５４にレシート用紙２１を投げ込み方式で収納保持し、収納保持したレシート用紙２１を案内経路１１１に引き出し、プラテンローラ１１３とサーマルヘッド１１４との間を通し、オートカッタ１１２を通し、発行口ＩＰから外部に引き出す。これにより、レシート用紙２１に対する印字が可能となる。この際、用紙保持体１５１を用紙保持軸１０７に取り付ける取付部１５２は、用紙保持軸１０７の上方でこの用紙保持軸１０７に保持されるラベル用紙１１の仮想的な専有領域Ａ（図３参照）であって、案内経路１１１に引き出し自在な位置にレシート用紙２１を位置付ける。これにより、ラベル用紙１１とレシート用紙２１とで、印字部１０８等の各部を共用して用い、印字を行なうことができる。
【００３３】
このように、本実施の形態のプリンタ１０１によれば、通常状態ではラベル用紙１１（第１のロール紙）を使用してこのラベル用紙１１に印字を行なうことができ、取付部１５２によって用紙保持体１５１を用紙保持軸１０７に取り付けることでレシート用紙２１（第２のロール紙）を使用してこのレシート用紙２１に印字を行なうことができる。したがって、二種類のロール紙（ラベル用紙１１、レシート用紙２１）への対応を用紙保持体１５１及び取付部１５２という簡単な構造を採用するだけで実現することができ、しかも、使用するロール紙の切り替え作業を用紙保持軸１０７に対して用紙保持体１５１を着脱するだけの手軽さで行なうことができる。
【００３４】
また、取付部１５２は、用紙保持体１５１を用紙保持軸１０７に対して着脱自在に取り付けるので、プリンタ本体側に用紙保持体１５１を支持するための別途の構造物を設ける必要性をなくすことができ、構造の簡略化を図ることができる。
【００３５】
また、取付部１５２は、断面が非真円形状に形成されて一端が自由端となった用紙保持軸１０７と、用紙保持体１５１に設けられ、用紙保持軸１０７にその自由端側からスライド自在に装着される装着部１５３とによって形成されているので、用紙保持軸１０７に取り付けた用紙保持体１５１の回り止めを容易に行なうことができる。しかも、用紙保持軸１０７に対して装着部１５３を押し込んだり引き出したりするだけという簡単な作業で用紙保持体１５１を容易に装脱することができ、その作業の容易化を図ることができる。
【００３６】
また、押え部１６１によって、用紙保持軸１０７に装着されたラベル用紙１１と用紙保持軸１０７に装着された用紙保持体１５１とを択一的に押えることができ、部品の共用化による部品点数の削減及び構造の簡略化を図ることができる。
【００３７】
ここで、図７及び図８に基づいて用紙保持体１５１の変形例について説明する。
【００３８】
図７は、用紙保持体１５１の変形例を示す斜視図である。図１ないし図６に基づいて説明した上記実施の一形態である用紙保持体１５１は、ホッパ１５４による投げ込み方式でのレシート用紙２１の保持方式を採用しているのに対して、本変形例は、レシート用紙２１を回転自在に軸支する保持方式を採用する。つまり、本変形例では、図１ないし図６に基づいて説明した上記実施の一形態である用紙保持体１５１が有していたホッパ１５４に代えて、レシート用紙２１を収納する収納部１５５を有している。この収納部１５５は、用紙保持軸１０７の軸方向に離間配置される一対の側壁１５６によって画されている。一対の側壁１５６には、それぞれ、軸保持溝１５７が形成されており、これらの軸保持溝１５７には用紙支持軸１５８が回転自在かつ着脱自在に装着可能となっている。用紙支持軸１５８は、紙管レスのレシート用紙２１の中心部に生じている空間（図示せず）に圧入可能な径に形成されている。そこで、レシート用紙２１の中心部に生じている空間に圧入した用紙支持軸１５８を一対の軸保持溝１５７に挿入することで、用紙保持体１５１にレシート用紙２１が回転自在に装着される。
【００３９】
図８は、用紙保持軸１０７に図７に示す用紙保持体１５１が装着されてレシート用紙２１が使用可能となっている状態を示すプリンタ１０１の概略的な縦断側面図である。図８に示すように、用紙保持体１５１は、この用紙保持体１５１に装着されたレシート用紙２１が最大径の状態で、収納部１５５の底部に外周面が僅かな隙間を空けて対面するように形成されている。そして、この状態のとき、軸保持溝１５７に装着される用紙支持軸１５８の中心位置は、用紙保持体１５１に保持されたレシート用紙２１の引き出し位置が、用紙保持軸１０７に保持されたラベル用紙１１の引き出し位置と略一致するような位置に定められている。
【００４０】
したがって、図７及び図８に示す本変形例では、プラテンローラ１１３の回転によってレシート用紙２１が引っ張られると、このレシート用紙２１に圧入されて軸保持溝１５７に挿入された用紙支持軸１５８が回転することで、レシート用紙２１の引き出しが許容されることになる。
【００４１】
なお、実施に際しては、本発明の技術的思想の範囲内において、各種の変形や改良等が許容される。例えば、用紙保持体１５１を用紙保持軸１０７に取り付けるようにしたのに対して、実施に際しては、例えば側壁１０３ａ等に用紙保持体１５１を保持するための構造を設け、この構造によって用紙保持体１５１を着脱自在に取り付けるようにしてもよい。あるいは、図７及び図８に示す変形例において、収納部１５５はホッパ１５４を共用しても良い。
【符号の説明】
【００４２】
１１…ラベル用紙（第１のロール紙）、１２…ラベル、１３…台紙、１４…紙管、２１…レシート用紙（第２のロール紙）、１０７…用紙保持軸、１０７ａ…平坦面、１０７ｂ…溝、１０８…印字部（搬送部）、１０９…台紙巻取り軸、１１０…剥離部、１１１…案内経路、１１３…プラテンローラ、１１４…サーマルヘッド、１１７…底部フレーム、１１８…側部フレーム、１５１…用紙保持体、１５２…取付部、１５３…装着部、１５３ａ…平坦底面、１５３ｂ…リブ、１５４…ホッパ、１６１…押え部
【先行技術文献】
【特許文献】
【００４３】
【特許文献１】特開２００１−３４１３７１公報
【図１】
2011245870.tif 000003
【図２】
2011245870.tif 000004
【図３】
2011245870.tif 000005
【図４】
2011245870.tif 000006
【図５】
2011245870.tif 000007
【図６】
2011245870.tif 000008
【図７】
2011245870.tif 000009
【図８】
2011245870.tif 000010